(57)【要約】【課題】本発明は製造単価を低減し、駆動効率を向上させるプラズマディスプレイパネルを提供する。【解決手段】本発明の一つの実施形態に係るプラズマディスプレイパネルは、互いに並んだ第１電極と第２電極が形成される前面基板１０１と、第１電極（１０２、Ｙ）及び第２電極（１０３、Ｚ）と交差する第３電極（１１３、Ｘ）が形成される背面基板１１１と、前面基板１０１と背面基板１１１の間で放電セルを区切る隔壁１１２と、を含み、第１電極（１０２、Ｙ）または第２電極（１０３、Ｚ）の内の少なくとも一つは単一層であり、第１電極（１０２、Ｙ）または第２電極（１０３、Ｚ）の内の少なくとも一つは第３電極（１１３、Ｘ）と交差する少なくとも一つのライン部と、ライン部から突出する複数の突出部を含み、複数の突出部の内の少なくとも一つの突出部の形状は他の突出部の形状と異なる。【選択図】図１Ａ
2008047507.tif 000002
【特許請求の範囲】
【請求項１】
互いに並んで第１電極と第２電極が形成される前面基板と、
前記第１電極及び前記第２電極と交差する第３電極が形成される背面基板と、
前記前面基板と前記背面基板の間で放電セルを区切る隔壁と、
を含み、
前記第１電極と前記第２電極の内の少なくとも一つは単一層（Ｏｎｅ  Ｌａｙｅｒ）であり、
前記第１電極と前記第２電極の内の少なくとも一つは
前記第３電極と交差する少なくとも一つのライン部と、
前記ライン部から突出する複数の突出部と、
を含み、
前記複数の突出部の内の少なくとも一つの突出部の形状が他の突出部の形状と異なるプラズマディスプレイパネル。
【請求項２】
前記第１電極と前記第２電極が形成された前記前面基板には誘電体層が形成されて、
前記第１電極と前記第２電極の内の少なくとも一つの色は前記誘電体層の色より暗い請求項１記載のプラズマディスプレイパネル。
【請求項３】
前記第１電極と前記第２電極の内の少なくとも一つと前記前面基板との間には、前記第１電極と前記第２電極の内の少なくとも一つの色より暗い色を有するブラック層がさらに形成される請求項１記載のプラズマディスプレイパネル。
【請求項４】
前記複数の突出部の内の少なくとも一つは曲率を有する部分を含む請求項１記載のプラズマディスプレイパネル。
【請求項５】
前記複数の突出部は、
第１方向に突出する少なくとも一つの第１突出部と、
前記第１方向と逆方向である第２方向に突出する少なくとも一つの第２突出部と、
を含む請求項１記載のプラズマディスプレイパネル。
【請求項６】
前記第１突出部の長さは前記第２突出部の長さと異なる請求項５記載のプラズマディスプレイパネル。
【請求項７】
前記第１突出部の幅は前記第２突出部の幅と異なる請求項５記載のプラズマディスプレイパネル。
【請求項８】
前記ライン部は複数個であり、
前記複数のライン部の内の二つ以上を連結する連結部がさらに形成される請求項１記載のプラズマディスプレイパネル。
【請求項９】
前記ライン部と前記連結部とが隣接する部分は曲率を有する請求項８記載のプラズマディスプレイパネル。
【請求項１０】
前記複数の突出部の内の少なくとも一つは前記第３電極と重畳（Ｏｖｅｒｌａｐ）される請求項１記載のプラズマディスプレイパネル。
【請求項１１】
前記第１電極と前記第２電極の内の少なくとも一つは透明電極が省略された（ＩＴＯ−Ｌｅｓｓ）電極である請求項１記載のプラズマディスプレイパネル。
【請求項１２】
互いに並んで第１電極と第２電極が形成される前面基板と、
前記第１電極及び前記第２電極と交差する第３電極が形成される背面基板と、
前記前面基板と前記背面基板の間で放電セルを区切る隔壁と、
を含み、
前記第１電極と前記第２電極の内の少なくとも一つは単一層（Ｏｎｅ  Ｌａｙｅｒ）であり、前記第１電極と前記第２電極の内の少なくとも一つは前記第３電極と交差する少なくとも一つのライン部と、
前記ライン部から突出する複数の突出部を含み、
前記複数の突出部の内の少なくとも一つの突出部の長さは他の突出部の長さと異なるプラズマディスプレイパネル。
【請求項１３】
前記複数の突出部の内の少なくとも一つは曲率を有する部分を含む請求項１２記載のプラズマディスプレイパネル。
【請求項１４】
前記複数の突出部は、
第１方向に突出する少なくとも一つの第１突出部と、
前記第１方向と逆方向である第２方向に突出する少なくとも一つの第２突出部と、を含み、
前記第１突出部の長さは前記第２突出部の長さと異なる請求項１２記載のプラズマディスプレイパネル。
【請求項１５】
前記ライン部は複数個であり、
前記複数のライン部の内の二つ以上を連結する連結部がさらに形成される請求項１２記載のプラズマディスプレイパネル。
【請求項１６】
前記複数の突出部の内の少なくとも一つは前記第３電極と重畳（Ｏｖｅｒｌａｐ）される請求項１２記載のプラズマディスプレイパネル。
【請求項１７】
前記第１電極と前記第２電極の内の少なくとも一つは透明電極が省略された（ＩＴＯ−Ｌｅｓｓ）電極である請求項１２記載のプラズマディスプレイパネル。
【請求項１８】
互いに並んで第１電極と第２電極が形成される前面基板と、
前記第１電極及び前記第２電極と交差する第３電極が形成される背面基板と、
前記前面基板と前記背面基板の間で放電セルを区切る隔壁と、
を含み、
前記第１電極と前記第２電極の内の少なくとも一つは単一層（Ｏｎｅ  Ｌａｙｅｒ）であり、
前記第１電極と前記第２電極の内の少なくとも一つは、
前記第３電極と交差する少なくとも一つのライン部と、
前記ライン部から突出する複数の突出部と、を含み、
前記複数の突出部の内の少なくとも一つの突出部の形状は他の突出部の形状と異なり、有効領域(Ａｃｔｉｖｅ Ａｒｅａ）における開口率が２５％以上４５％以下であるプラズマディスプレイパネル。
【請求項１９】
前記複数の突出部の内の少なくとも一つは曲率を有する部分を含む請求項１８記載のプラズマディスプレイパネル。
【請求項２０】
前記複数の突出部は、
第１方向に突出する少なくとも一つの第１突出部と、
前記第１方向と逆方向である第２方向に突出する少なくとも一つの第２突出部と、を含み、
前記第１突出部の長さは前記第２突出部の長さと異なる請求項１８記載のプラズマディスプレイパネル。
【発明の詳細な説明】
【技術分野】
【０００１】
本発明はプラズマディスプレイパネルに関する。
【背景技術】
【０００２】
一般的にプラズマディスプレイパネルには隔壁に区画された放電セル（Ｃｅｌｌ）内に蛍光体層が形成されて、同時に複数の電極（Ｅｌｅｃｔｒｏｄｅ）が形成される。
【０００３】
このような電極を通じて放電セルに駆動信号が供給される。
【０００４】
放電セル内では供給される駆動信号によって放電が発生する。ここで、放電セル内で駆動信号によって放電が発生する時、放電セル内に充填されている放電ガスが真空紫外線（Ｖａｃｕｕｍ Ｕｌｔｒａｖｉｏｌｅｔ ｒａｙｓ）を発生して、このような真空紫外線が放電セル内に形成された蛍光体を発光させて、可視光を発生させる。このような可視光によってプラズマディスプレイパネルの画面上に映像が表示される。
【０００５】
従来、第１電極及び第２電極の複数の突出部が等しい形状を有することから駆動効率が低下するという問題があった。
【発明の開示】
【発明が解決しようとする課題】
【０００６】
本発明の目的は、駆動効率の低下を防止するプラズマディスプレイパネルを提供することにある。
【課題を解決するための手段】
【０００７】
本発明に係るプラズマディスプレイパネルは、互いに並んで第１電極と第２電極が形成される前面基板と、第１電極及び第２電極と交差する第３電極が形成される背面基板と、前面基板と背面基板の間で放電セルを区切る隔壁と、を含み、第１電極と第２電極の内の少なくとも一つは単一層（Ｏｎｅ  Ｌａｙｅｒ）であり、第１電極と第２電極の内の少なくとも一つは第３電極と交差する少なくとも一つのライン部と、ライン部から突出する複数の突出部と、を含み、複数の突出部の内の少なくとも一つの突出部の形状が他の突出部の形状と異なる。
【０００８】
また、本発明に係る他のプラズマディスプレイパネルは、互いに並んで第１電極と第２電極が形成される前面基板と、第１電極及び第２電極と交差する第３電極が形成される背面基板と、前面基板と背面基板の間で放電セルを区切る隔壁と、を含み、第１電極と第２電極の内の少なくとも一つは単一層（Ｏｎｅ  Ｌａｙｅｒ）であり、第１電極と第２電極の内の少なくとも一つは第３電極と交差する少なくとも一つのライン部と、ライン部から突出する複数の突出部と、を含み、複数の突出部の内の少なくとも一つの突出部の長さは他の突出部の長さと異なる。
【０００９】
また、本発明に係るさらなる他のプラズマディスプレイパネルは、互いに並んだ第１電極と第２電極が形成される前面基板と、第１電極及び第２電極と交差する第３電極が形成される背面基板と、前面基板と背面基板の間で放電セルを区切る隔壁と、を含み、第１電極または第２電極の内の少なくとも一つは単一層（Ｏｎｅ  Ｌａｙｅｒ）であり、第１電極と第２電極の内の少なくとも一つは第３電極と交差する少なくとも一つのライン部と、ライン部から突出する複数の突出部と、を含み、複数の突出部の内の少なくとも一つの突出部の形状は他の突出部の形状と異なり、有効領域(Ａｃｔｉｖｅ Ａｒｅａ）における開口率が２５％以上４５％以下である。
【発明の効果】
【００１０】
本発明は、第１電極と第２電極の内の少なくとも一つが含む複数の突出部を含み、当該複数の突出部の内の少なくとも一つの突出部の形状を他の突出部とは異なるように形成することで、駆動効率を向上させる効果がある。
【発明を実施するための最良の形態】
【００１１】
以下、添付された図面を参照して本発明の一つの実施形態に係るプラズマディスプレイパネルを詳しく説明する。
【００１２】
図１Ａ〜図１Ｄは本発明の一つの実施形態に係るプラズマディスプレイパネルの構造を説明するための図である。
【００１３】
先ず、図１Ａを注意深くみれば、本発明の一つの実施形態に係るプラズマディスプレイパネルは、互いに並んで第１電極（１０２、Ｙ）と第２電極（１０３、Ｚ）が形成される前面基板１０１と、前述の第１電極（１０２、Ｙ）及び第２電極（１０３、Ｚ）と交差する第３電極（１１３、Ｘ）が形成される背面基板１１１と、を合着して形成することができる。ここで、第１電極（１０２、Ｙ）と第２電極（１０３、Ｚ）の内の少なくとも一つは、単一層（Ｏｎｅ  Ｌａｙｅｒ）である。例えば、第１電極（１０２、Ｙ）と第２電極（１０３、Ｚ）の内の少なくとも一つは、透明電極が省略された（ＩＴＯ−Ｌｅｓｓ）電極であってもよい。
【００１４】
このような第１電極（１０２、Ｙ）及び第２電極（１０３、Ｚ）の内の少なくとも一つは、実質的に不透明な電気伝導性の金属材質を含むことができる。例えば、銀（Ａｇ）、銅（Ｃｕ）、アルミニウム（Ａｌ）などのような電気伝導性に優れており、透明材質（例えば、ＩＴＯ：インジウムチンオキサイド）に比べて価格が低い材質を含むことができる。これにより、第１電極（１０２、Ｙ）と第２電極（１０３、Ｚ）の内の少なくとも一つは、下記で説明する上部誘電体層１０４より色が暗い場合がある。
【００１５】
このような単一層で形成することができる第１電極（１０２、Ｙ）と第２電極（１０３、Ｚ）を以後の説明でより明確にする。
【００１６】
第１電極（１０２、Ｙ）と第２電極（１０３、Ｚ）は、放電空間、すなわち放電セル（Ｃｅｌｌ）で放電を発生させて、同時に放電セルの放電を維持することができる。
【００１７】
このような第１電極（１０２、Ｙ）と第２電極（１０３、Ｚ）が形成された前面基板１０１の上部には、第１電極（１０２、Ｙ）と第２電極（１０３、Ｚ）を覆うように誘電体層、例えば、上部誘電体層１０４を形成することができる。
【００１８】
このような、上部誘電体層１０４は、第１電極（１０２、Ｙ）及び第２電極（１０３、Ｚ）の放電電流を制限して、第１電極（１０２、Ｙ）と第２電極（１０３、Ｚ）の間を絶縁させることができる。
【００１９】
このような、上部誘電体層１０４の上面には、放電条件を容易にするための保護層１０５を形成することができる。このような保護層１０５は、二次電子放出係数が高い材質、例えば酸化マグネシウム（ＭｇＯ）材質で形成することができる。
【００２０】
一方、背面基板１１１上には、電極、例えば第３電極（１１３、Ｘ）が形成されて、このような第３電極（１１３、Ｘ）が形成された背面基板１１１の上部には、第３電極（１１３、Ｘ）を覆うように誘電体層、例えば、下部誘電体層１１５を形成することができる。
【００２１】
このような、下部誘電体層１１５は、第３電極（１１３、Ｘ）を絶縁させることができる。
【００２２】
このような下部誘電体層１１５の上部には、放電空間（すなわち、放電セル）を区切るためのストライプタイプ（Ｓｔｒｉｐｅ Ｔｙｐｅ）、ウェルタイプ（Ｗｅｌｌ Ｔｙｐｅ）、デルタタイプ（Ｄｅｌｔａ Ｔｙｐｅ）、蜂の巣タイプなどの隔壁１１２を形成することができる。これによって、前面基板１０１と背面基板１１１との間で赤色（Ｒｅｄ：Ｒ）放電セル、緑色（Ｇｒｅｅｎ：Ｇ）放電セル、青色（Ｂｌｕｅ：Ｂ）放電セルなどを形成することができる。
【００２３】
また、赤色（Ｒ）、緑色（Ｇ）、青色（ｂ）の放電セル以外に、白色（Ｗｈｉｔｅ：Ｗ）放電セルまたは黄色（Ｙｅｌｌｏｗ：Ｙ）放電セルをさらに形成することも可能である。
【００２４】
一方、本発明の一つの実施形態に係るプラズマディスプレイパネルにおいては、赤色（Ｒ）、緑色（Ｇ）及び青色（Ｂ）の放電セルの幅は実質的に等しいが、当該赤色（Ｒ）、緑色（Ｇ） 及び青色（Ｂ）の放電セルの内の少なくとも一つの幅を他の放電セルの幅と異なるようにすることもできる。
【００２５】
例えば、図１Ｂのように、赤色（Ｒ）放電セルの幅（ａ）が一番狭く、緑色（Ｇ）及び青色（Ｂ）放電セルの幅（ｂ、ｃ）を赤色（Ｒ）放電セルの幅（ａ）より広くすることができる。
【００２６】
ここで、緑色（Ｇ）放電セルの幅（ｂ）は、青色（Ｂ）放電セルの幅（ｃ）と実質的に等しくなるように形成してもよいし、異なるように形成してもよい。
【００２７】
このように形成すれば、放電セル内に形成される後述の蛍光体層１１４の幅も放電セルの幅に応じて変更される。例えば、図１Ｂのような場合、青色（Ｂ）放電セルに形成される青色（Ｂ）蛍光体層の幅が、赤色（Ｒ）放電セル内に形成される赤色（Ｒ）蛍光体層の幅より広く、同時に緑色（Ｇ）放電セルに形成される緑色（Ｇ）蛍光体層の幅が、赤色（Ｒ）放電セル内に形成される赤色（Ｒ）蛍光体層の幅より広く形成することができる。
【００２８】
これにより、具現される映像の色温度特性を向上することができる。
【００２９】
また、本発明の一つの実施形態に係るプラズマディスプレイパネルは、図１Ａに示す隔壁１１２の構造だけではなく、多様な形状の隔壁構造も可能である。例えば、隔壁１１２は第１隔壁１１２ｂと第２隔壁１１２ａを含み、このとき、第１隔壁１１２ｂの高さと第２隔壁１１２ａの高さが互いに異なる差等型隔壁構造、第１隔壁１１２ｂまたは第２隔壁１１２ａの内の一つ以上に排気通路として使用可能なチャンネル（Ｃｈａｎｎｅｌ）が形成されたチャンネル型隔壁構造、第１隔壁１１２ｂまたは第２隔壁１１２ａの内の一つ以上に溝（Ｈｏｌｌｏｗ）が形成された溝型隔壁構造などが可能である。
【００３０】
ここで、差等型隔壁構造の場合、例えば図１Ｃに示すように、内第１隔壁１１２ｂの高さ（ｈ１）が第２隔壁１１２ａの高さ（ｈ２）よりも低く形成してもよい。同時に、チャンネル型隔壁構造を有する場合、第１隔壁１１２ｂにチャンネルが形成されてもよい。
【００３１】
一方、本発明の一つの実施形態に係るプラズマディスプレイパネルにおいては、赤色（Ｒ）、緑色（Ｇ）及び青色（Ｂ）放電セルのそれぞれが同一線上に配列されることが図示及び説明されているが、他の形状に配列することも可能である。例えば、赤色（Ｒ）、緑色（Ｇ）及び青色（Ｂ）放電セルが、三角形状に配列されるデルタ（Ｄｅｌｔａ）タイプの配列も可能である。また、放電セルの形状も四角形だけではなく、五角形、六角形などの多様な多角形も可能である。
【００３２】
また、図１Ａでは、背面基板１１１に隔壁１１２が形成された場合のみを示しているが、隔壁１１２は前面基板１０１または背面基板１１１の内の少なくとも何れかれ一つに形成することができる。
【００３３】
ここで、隔壁１１２によって区画された放電セル内には所定の放電ガスを満たすことができる。
【００３４】
このような放電ガスが満たされたプラズマディスプレイパネル内部の圧力は、略３５０ｔｏｒｒ以上５００ｔｏｒｒ以下である。
【００３５】
同時に、隔壁１１２によって区画された放電セル内には、アドレス放電時の画像表示のための可視光を放出する蛍光体層１１４が形成される。例えば、赤色（Ｒｅｄ：Ｒ）、緑色（Ｇｒｅｅｎ：Ｇ）、青色（Ｂｌｕｅ ： Ｂ）蛍光体層を形成することができる。
【００３６】
また、赤色（Ｒ）、緑色（Ｇ）、青色（Ｂ）蛍光体層以外に、白色（Ｗｈｉｔｅ：Ｗ）及び/または黄色（Ｙｅｌｌｏｗ：Ｙ）蛍光体層をさらに形成することも可能である。
【００３７】
また、赤色（Ｒ）、緑色（Ｇ）及び青色（Ｂ）放電セルの内の少なくとも何れか一つの放電セルにおける蛍光体層１１４の厚さが異なるように、放電セルを形成することができる。例えば、図１Ｄに示すように、緑色（Ｇ）放電セルの蛍光体層、すなわち、緑色（Ｇ）蛍光体層１１４ｂ、または、青色（Ｂ）放電セルの蛍光体層、すなわち、青色（Ｂ）蛍光体層１１４ａの厚さ（ｔ２、ｔ３)が、赤色（Ｒ）放電セルの蛍光体層、すなわち、赤色（Ｒ）蛍光体層１１４ｃの厚さ(ｔ１）よりも厚くすることができる。ここで、緑色（Ｇ）蛍光体層１１４ｂの厚さ（ｔ２）は、青色（Ｂ）蛍光体層１１４ａの厚さ（ｔ３）と実質的に等しい、または、異なるようにすることができる。
【００３８】
一方、以上では本発明の一つの実施形態に係るプラズマディスプレイパネルの一例のみを図示して説明したが、本発明が以上で説明した構造のプラズマディスプレイパネルに限定されるのではないことを明らかにしておく。例えば、以上の説明では、上部誘電体層１０４及び下部誘電体層１１５がそれぞれ一つの層（Ｌａｙｅｒ）で構成されている場合のみを示しているが、このような上部誘電体層及び下部誘電体層の内の一つ以上は複数の層で構成することも可能なのである。
【００３９】
同時に、隔壁１１２による外部光の反射を防止するために、隔壁１１２の上部に外部光を吸収することができるブラック材質を塗布することができる。
【００４０】
また、隔壁１１２と対応する前面基板１０１上の特定位置にブラックマトリックス（図示せず）をさらに形成することも可能である。
【００４１】
また、背面基板１１１上に形成される第３電極１１３の幅や厚さを実質的に一定にすることもできるが、放電セル内部での幅や厚さが放電セル外部での幅や厚さと異なるようにすることもできる。例えば、放電セル内部での幅や厚さが、放電セル外部での幅や厚さよりも広く厚くすることもできる。
【００４２】
このように、本発明の一つの実施形態に係るプラズマディスプレイパネルの構造を多様に変更することができるのである。
【００４３】
一方、以上で言及したように、前面基板１０１に形成される第１電極（１０２、Ｙ）と第２電極（１０３、Ｚ）は単一層で形成される。これに関して注意深くみれば次のようである。
【００４４】
図２は第１電極及び第２電極の内の少なくとも一つが単一層で形成される理由を説明するための図である。
【００４５】
図２を注意深くみれば、図２の（ａ）には本発明の一つの実施形態とは異なり前面基板２００上に形成された第１電極２１０と第２電極２２０が、複数層（Ｌａｙｅｒ）で構成される場合の一例が示されている。例えば、第１電極２１０と第２電極２２０は、透明電極（２１０ａ、２２０ａ）とバス電極（２１０ｂ、２２０ｂ）と、を含むと仮定する。
【００４６】
このような、図２の（ａ）の場合では、第１電極２１０と第２電極２２０の形成工程時に透明電極（２１０ａ、２２０ａ）を形成した後、バス電極（２１０ｂ、２２０ｂ）を再び形成しなければならない。
【００４７】
これによって、図２の（ａ）の場合は、本発明の一つの実施形態のように、第１電極と第２電極を単一層で形成する場合に比べて、製造工程の数がさらに多くなり、これにより製造単価の上昇を引き起こす可能性がある。
【００４８】
同時に、図２（ａ）の透明電極（２１０ａ、２２０ａ）として、実質的に透明な材質、例えばインジウムチンオキサイド（ＩＴＯ）などの材質を含むことができるが、このようなインジウムチンオキサイド（ＩＴＯ）などの透明な材質は、相対的に高価なため製造単価をさらに上昇させる可能性がある。
【００４９】
一方に、図２の（ｂ）のよう、に第１電極１０２と第２電極１０３を単一層で形成するようにすれば、製造工程が単純になると同時に、相対的に高価であるインジウムチンオキサイド（ＩＴＯ）などの材質を使わなくても良いので、製造単価を低減することができるのである。
【００５０】
次に、図３は第１電極及び第２電極と前面基板との間にブラック層がさらに追加された構造の一例を説明するための図である。
【００５１】
図３を注意深くみれば、前面基板１０１上に形成される電極、即ち、第１電極１０２及び第２電極１０３の内の少なくとも一つと前面基板１０１との間には、前面基板１０１の変色を防止し、第１電極１０２及び第２電極１０３の内の少なくとも一つの色よりも暗い色を有するブラック層（Ｂｌａｃｋ Ｌａｙｅｒ）３００ａ、３００ｂをさらに形成することができる。
【００５２】
例えば、前面基板１０１と第１電極１０２または第２電極１０３が直接接触する場合には、第１電極１０２または第２電極１０３と直接接触する前面基板１０１の一定領域が黄色系列に変色するマイグレーション（Ｍｉｇｒａｔｉｏｎ）現象が発生する可能性があるが、ブラック層３００ａ、３００ｂを設けることにより、前面基板１０１と第１電極１０２または第２電極１０３の直接的な接触を防止し、マイグレーション現象を防止することができる。
【００５３】
このようなブラック層３００ａ、３００ｂは、実質的に暗い系列の色を有するブラック材質、例えばルテニウム（Ｒｕ）を含むことができる。
【００５４】
このように、前面基板１０１と第１電極１０２及び第２電極１０３の間にブラック層３００ａ、３００ｂを備えるようにすれば、第１電極１０２と第２電極１０３が反射率の高い材質で構成されても、反射光の発生を防止することができる。
【００５５】
次に、図４Ａ〜図４Ｃは、本発明の一つの実施形態に係るプラズマディスプレイパネルの第１電極と第２電極の第１実施形態を説明するための図である。
【００５６】
先ず、図４Ａを注意深くみれば、第１電極４３０または第２電極４６０の内の少なくとも一つは、一つ以上のライン部（図４Ａの例では、４１０ａ、４１０ｂ、４４０ａ、４４０ｂ）を含むことができる。
【００５７】
このようなライン部（４１０ａ、４１０ｂ、４４０ａ、４４０ｂ）を隔壁４００によって区画された放電セル内で第３電極４７０と交差するように形成することができる。
【００５８】
このようなライン部（４１０ａ、４１０ｂ、４４０ａ、４４０ｂ）を放電セル内でそれぞれが所定距離で離隔するように配置することができる。
【００５９】
例えば、第１電極４３０の第１ライン部４１０ａと第２ライン部４１０ｂを間隔ｄ１を置いて離隔し、第２電極４６０の第１ライン部４４０ａと第２ライン部４４０ｂを間隔ｄ２を置いて離隔してもよい。ここで、間隔ｄ１と間隔ｄ２は等しくてもよく、互いに異なってもよい。
【００６０】
また、二つ以上のライン部が互いに隣接することも可能なのである。
【００６１】
同時に、このようなライン部（４１０ａ、４１０ｂ、４４０ａ、４４０ｂ）は、所定の幅（例えば、第１電極４３０の第１ライン部４１０ａの幅は幅Ｗａ、第２ライン部４１０ｂの幅は幅Ｗｂ）を有することができる。
【００６２】
ここで、第１電極４３０と第２電極４６０の形状は、放電セル内で互いに対称であってもよいし、互いに非対称であってもよい。例えば、第１電極４３０は３個のライン部を含み、第２電極４６０は２個のライン部を含むこともできるのである。
【００６３】
同時に、ライン部の個数も調節することができる。例えば、第１電極４３０または第２電極４６０が、４個または５個のライン部を含むことができるのである。
同時に、第１電極４３０または第２電極４６０の内の少なくとも一つは、ライン部（４１０ａ、４１０ｂ、４４０ａ、４４０ｂ）から突出する複数の突出部（４２０ａ、４２０ｂ、４２０ｃ、４５０ａ、４５０ｂ、４５０ｃ）を含むことができる。このような突出部（４２０ａ、４２０ｂ、４２０ｃ、４５０ａ、４５０ｂ、４５０ｃ）は、第３電極４７０と同一線上に並ぶように形成されてもよい。
【００６４】
このような、複数の突出部（４２０ａ、４２０ｂ、４２０ｃ、４５０ａ、４５０ｂ、４５０ｃ）の内の少なくとも一つの突出部の形状（例えば、形、長さ、幅など）は、他の突出部の形状と異なってもよい。
【００６５】
ここで、第１電極４３０と第２電極４６０の複数の突出部（４２０ａ、４２０ｂ、４２０ｃ、４５０ａ、４５０ｂ、４５０ｃ）において、第１方向、例えば、放電セルの中心方向に突出する突出部４２０ａ、４２０ｂと突出部４５０ａ、４５０ｂを第１突出部とする。
【００６６】
同時に、第１電極４３０と第２電極４６０の複数の突出部（４２０ａ、４２０ｂ、４２０ｃ、４５０ａ、４５０ｂ、４５０ｃ）において、第２方向、例えば、第１方向と逆方向に突出する突出部４２０ｃと突出部４５０ｃを第２突出部とする。
【００６７】
このような第１突出部(４２０ａ、４２０ｂ、４５０ａ、４５０ｂ)の長さ（Ｌ１）は、第２突出部(４２０ｃ、４５０ｃ)の長さ（Ｌ２）と異なる。例えば、第２方向に突出する第２突出部(４２０ｃ、４５０ｃ)の長さ（Ｌ２）が、第１方向に突出する第１突出部(４２０ａ、４２０ｂ、４５０ａ、４５０ｂ)の長さ（Ｌ１）より長くてもよい。
【００６８】
このように、第２突出部(４２０ｃ、４５０ｃ)の長さ（Ｌ２）を第１突出部(４２０ａ、４２０ｂ、４５０ａ、４５０ｂ)の長さ（Ｌ１）よりさらに長くすれば、駆動時に第１電極４３０の第１突出部(４２０ａ、４２０ｂ)と第２電極４６０の第１突出部(４５０ａ、４５０ｂ)の間で発生する放電が、第１電極４３０の第２突出部(４２０ｃ)と第２電極４６０の第２突出部(４５０ｃ)を介して放電セルの後方に容易に拡散することができる。したがって、一回の放電によって発生する光量を増加させることができ、駆動効率を向上させることができる。
【００６９】
次に、図４Ｂを注意深くみれば、図４Ａとは異なり、第１突出部(４２０ａ、４２０ｂ、４５０ａ、４５０ｂ)の長さ（Ｌ３）は第２突出部(４２０ｃ、４５０ｃ)の長さ（Ｌ４）よりも長いくすることができる。
【００７０】
このように、第１突出部(４２０ａ、４２０ｂ、４５０ａ、４５０ｂ)の長さ（Ｌ３）を第２突出部(４２０ｃ、４５０ｃ)の長さ(Ｌ４)よりも長くすれば、第１電極４３０と第２電極４６０の間の間隔（図４Ａのｇ１に相当）を狭めることができるようになり、放電開始電圧を低減することができる。これによって、駆動効率を向上させることができる。
【００７１】
ここで、隔壁４００によって区画された放電セル内で、第１電極４３０と第２電極４６０の間の間隔（ｇ１）、即ち、第１電極４３０の第１突出部(４２０ａ、４２０ｂ)と第２電極４６０の第１突出部(４５０ａ、４５０ｂ)との間の間隔（ｇ１）は、略６０μｍ以上１２０μｍ以下であってもよい
【００７２】
以上で説明した突出部（４２０ａ、４２０ｂ、４２０ｃ、４５０ａ、４５０ｂ、４５０ｃ）の長さ（Ｌ１、Ｌ２、Ｌ３、Ｌ４）が過度に長くなる場合には、有効領域の開口率を低下することができる。一方、突出部（４２０ａ、４２０ｂ、４２０ｃ、４５０ａ、４５０ｂ、４５０ｃ）の長さ（Ｌ１、Ｌ２、Ｌ３、Ｌ４）が過度に短くなる場合には、放電が放電セルの後方で充分に拡散しない、または、第１電極４３０と第２電極４６０の間の放電開始電圧が過度に高くなる可能性がある。このような問題点を解決するために、複数の突出部（４２０ａ、４２０ｂ、４２０ｃ、４５０ａ、４５０ｂ、４５０ｃ）の内の少なくとも一つの長さを略３０μｍ以上１００μｍ以下に設定して、放電を放電セルの後方に充分に拡散させながら、同時に第１電極４３０と第２電極４６０の間の放電開始電圧が過度に高くなることを防止することができる。
【００７３】
同時に、複数の突出部（４２０ａ、４２０ｂ、４２０ｃ、４５０ａ、４５０ｂ、４５０ｃ）の内の少なくとも一つは、放電セル内で第３電極４７０と重畳（Ｏｖｅｒｌａｐ）するように形成することができる。このように形成すれば、第１電極４３０と第３電極４７０の間の放電開始電圧を低減することができる。これによって、駆動効率をさらに高めることができ、同時にアドレスジッタ（Ｊｉｔｔｅｒ）特性を改善することができる。
【００７４】
また、以上の図４Ａ〜図４Ｂのように複数の突出部（４２０ａ、４２０ｂ、４２０ｃ、４５０ａ、４５０ｂ、４５０ｃ）の内の少なくとも一つは曲率を有する部分を含む。このように形成すれば、第１電極４３０と第２電極４６０の製造工程をより容易にすることができる。同時に、駆動時の壁電荷（Ｗａｌｌ Ｃｈａｒｇｅ）が特定位置に過度に集中することを防止することができ、これによって放電特性を安定させて駆動安全性を高めることができる。
【００７５】
一方、以上の図４Ａ〜図４Ｂとは異なり、図４Ｃに示すように、ライン部４８０から突出する突出部（４９０ａ、４９０ｂ）は曲率を有する部分を含まず、多角形の形状を有してもよい。
【００７６】
このように、突出部の形状を多様に変更することができる。
【００７７】
次に、図５Ａ〜図５Ｃは、本発明の一つの実施形態に係るプラズマディスプレイパネルの第１電極と第２電極の第２実施形態を説明するための図である。図５Ａ〜図５Ｃを参照した説明においては、以上で詳しく説明した内容に関して説明を略する。
【００７８】
先ず、図５Ａを注意深くみれば、複数の突出部（５２０ａ、５２０ｂ、５２０ｃ、５５０ａ、５５０ｂ、５５０ｃ）の内の少なくとも一つの突出部の幅が、他の突出部の幅と異なる。
【００７９】
ここで、第１方向に突出する突出部５２０ａ、５２０ｂ、５５０ａ、５５０ｂを第１突出部とし、第２方向に突出する突出部５２０ｃ、５５０ｃの突出部を第２突出部とする。
【００８０】
このような第１突出部(５２０ａ、５２０ｂ、５５０ａ、５５０ｂ)の幅（Ｗ１０）は、第２突出部（５２０ｃ、５５０ｃ）の幅（Ｗ２０）と異なる。例えば、第２方向に突出する第２突出部（５２０ｃ、５５０ｃ）の幅（Ｗ２０）が、１方向に突出する第１突出部(５２０ａ、５２０ｂ、５５０ａ、５５０ｂ)の幅（Ｗ１０）よりも広い。
【００８１】
このように、第２突出部（５２０ｃ、５５０ｃ）の幅（Ｗ２０）を第１突出部(５２０ａ、５２０ｂ、５５０ａ、５５０ｂ)の幅（Ｗ１０）よりも広くすれば、駆動時に放電が第１電極５３０の第２突出部(５２０ｃ)と、第２電極５６０の第２突出部(５５０ｃ)を介して放電セルの後方に容易に拡散することができる。したがって、一回の放電によって発生する光量を増加させることができ、駆動効率を向上させることができる。
【００８２】
次に、図５Ｂを注意深くみれば、図５Ａとは異なり、第１突出部(５２０ａ、５２０ｂ、５５０ａ、５５０ｂ)の幅（Ｗ３０）は、第２突出部（５２０ｃ、５５０ｃ）の幅（Ｗ４０）よりも広くてもよい。
【００８３】
このように、第１突出部(５２０ａ、５２０ｂ、５５０ａ、５５０ｂ)の幅（Ｗ３０）を第２突出部（５２０ｃ、５５０ｃ）の幅（Ｗ４０）よりも広くすれば、駆動時に第１突出部(５２０ａ、５２０ｂ、５５０ａ、５５０ｂ)上に蓄積する壁電荷（Ｗａｌｌ Ｃｈａｒｇｅ）の量を増加させることができるし、これによって第１電極５３０と第２電極５６０の間の放電開始電圧を低減させることができる。これによって、駆動効率を向上させることができる。
【００８４】
以上で説明した突出部(５２０ａ、５２０ｂ、５２０ｃ、５５０ａ、５５０ｂ、５５０ｃ)の幅（Ｗ１０、Ｗ２０、Ｗ３０、Ｗ４０）が過度に広くなる場合には、有効領域の開口率を低下することができる。一方、突出部(５２０ａ、５２０ｂ、５２０ｃ、５５０ａ、５５０ｂ、５５０ｃ)の幅（Ｗ１０、Ｗ２０、Ｗ３０、Ｗ４０）が過度に小くなる場合には、放電が放電セルの後方に充分に拡散しない、または、第１電極５３０と第２電極５６０の間の放電開始電圧が過度に高くなる可能性がある。このような問題点を解決するために、複数の突出部（５２０ａ、５２０ｂ、５２０ｃ、５５０ａ、５５０ｂ、５５０ｃ）の内の少なくとも一つの幅を略３０μｍ以上７０μｍ以下に設定して、放電を放電セルの後方に充分に拡散させながら、同時に第１電極５３０と第２電極５６０の間の放電開始電圧が過度に高くなることを防止することができる。
【００８５】
このような、突出部(５２０ａ、５２０ｂ、５２０ｃ、５５０ａ、５５０ｂ、５５０ｃ)の幅（Ｗ）は、図５Ｃのように突出部(５２０ａ、５２０ｂ、５２０ｃ、５５０ａ、５５０ｂ、５５０ｃ)の全体の長さをＬとする時、突出部(５２０ａ、５２０ｂ、５２０ｃ、５５０ａ、５５０ｂ、５５０ｃ)の長さがＬ／２の地点での幅を意味する。
【００８６】
次に、図６Ａ〜図６Ｂは本発明の一つの実施形態に係るプラズマディスプレイパネルの第１電極と第２電極の第３実施形態を説明するための図である。図６Ａ〜図６Ｂを参照した説明では、以上で詳しく説明した内容に関しては説明を略する。
【００８７】
先ず、図６Ａを注意深くみれば、第１電極６３０と第２電極６６０は第１方向、例えば、放電セルの中心方向に突出する第１突出部（６２０ａ、６２０ｂ、６２０ｃ、６５０ａ、６５０ｂ、６５０ｃ）をそれぞれ３個ずつ含むことができる。
【００８８】
また、図示しないが、第１電極６３０と第２電極６６０がそれぞれ１個ずつの第１突出部を含む構成も可能である。このように、第１方向に突出する突出部の個数を多様に調節することができる。
【００８９】
次に、図６Ｂを注意深くみれば、第１電極６３０と第２電極６６０は、第２方向、例えば、放電セルの中心方向と反対方向に突出する第２突出部（６８０ｃ、６８０ｄ、６９０ｃ、６９０ｄ）をそれぞれ２個ずつ含むことができる。
【００９０】
または、図示しないが、第１電極６３０と第２電極６６０がそれぞれ３個ずつの第２突出部を含む構成も可能である。このように、第２方向に突出する突出部の個数を多様に調節することができる。
【００９１】
次に、図７Ａ〜図７Ｂは、本発明の一つの実施形態に係るプラズマディスプレイパネルの第１電極と第２電極の第４実施形態を説明するための図である。図７Ａ〜図７Ｂを参照した説明では、以上で詳しく説明した内容に関しては説明を略する。
【００９２】
先ず、図７Ａを注意深くみれば、複数のライン部（７１０ａ、７１０ｂ、７４０ａ、７４０ｂ）の内の少なくとも一つの幅は、他のライン部の幅と異なるようにすることができる。例えば、第１電極７３０の第１ライン部７１０ａの幅（Ｗａ）が、第２ライン部７１０ｂの幅（Ｗｂ)よりも小さくてもよい。
【００９３】
また、図７Ｂに示すように、第１電極７３０の第１ライン部７１０ａの幅（Ｗｃ）が、第２ライン部７１０ｂの幅（Ｗｄ）よりも大きくてもよい。
【００９４】
このように、ライン部の形状を多様に変更することができる。
【００９５】
次に、図８Ａ〜図８Ｂは、本発明の一つの実施形態に係るプラズマディスプレイパネルの第１電極と第２電極の第５実施形態を説明するための図である。図８Ａ〜図８Ｂを参照した説明では、以上で詳しく説明した内容に関しては説明を略する。
【００９６】
先ず、図８Ａを注意深くみれば、複数のライン部（８１０ａ、８１０ｂ、８４０ａ、８４０ｂ）の内の二つ以上を連結する連結部（８２０ｃ、８５０ｃ）をさらに形成することができる。
【００９７】
例えば、第１電極８３０の連結部８２０ｃは、第１電極８３０の第１ライン部８１０ａと第２ライン部８１０ｂを連結し、同時に、第２電極８６０の連結部８５０ｃは、第２電極８６０の第１ライン部８４０ａと第２ライン部８４０ｂを連結する。
【００９８】
このように、連結部（８２０ｃ、８５０ｃ）が二つ以上のライン部（図８Ａでは、８１０ａと８１０ｂ、８４０ａと８４０ｂ）を連結すれば、駆動時に第１電極８３０の第１突出部（８２０ａ、８２０ｂ）と第２電極８６０の第１突出部（８５０ａ、８５０ｂ）の間で発生する放電が、第１電極８３０の連結部８２０ｃと第２電極８６０の連結部８５０ｃを介して、第１電極８３０の第２ライン部８１０ｂと第２突出部８２０ｄの方向、及び、第２電極８６０の第２ライン部８４０ｂと第２突出部８５０ｄの方向により容易に拡散することができる。
【００９９】
また、連結部（８２０ｃ、８５０ｃ）とライン部（８１０ａ、８１０ｂ、８４０ａ、８４０ｂ）が隣接する部分は、曲率を有することができる。
【０１００】
一方、図８Ａでは、第１電極８３０の連結部８２０ｃと、第２電極８６０の連結部８５０ｃはそれぞれ１個であるが、図８Ｂに示すように、第１電極８３０の連結部（８８０ａ、８８０ｂ）と第２電極８６０の連結部（８９０ａ、８９０ｂ）をそれぞれ２個形成してもよい。
【０１０１】
このように、連結部の個数を多様に変更することができる。
【０１０２】
次に、図９はダミー領域と有効領域を説明するための図である。
【０１０３】
図９を注意深くみれば、プラズマディスプレイパネルには、映像が表示される有効領域またはアクティブ領域（Ａｃｔｉｖｅ Ａｒｅａ）９１０と、映像表示に寄与しないダミー領域（Ｄｕｍｍｙ Ａｒｅａ）９００を含むことができる。ここで、有効領域９１０は、駆動時に所定の可視光線が発生して映像が表示される領域であり、その構造は上記に詳しく説明したので、ここでは説明を略する。
【０１０４】
ダミー領域９００を有効領域９１０の外郭に配置することができる。このようなダミー領域９００を有効領域９１０の構造的安全性の確保のため、または、有効領域での動作安全性の確保のために形成することができる。
【０１０５】
このようなダミー領域９００に形成される放電セル、すなわち、ダミー放電セル内には、蛍光体層が形成されなくてもよく、また、第１電極、第２電極または第３電極の内の少なくとも一つが形成されなくてもよい。
【０１０６】
一方、パネル内で発生した光の一部は外部に放出され、その他の光は、前面基板に形成される第１電極と第２電極、ブラック層及びブラックマトリックスなどによって外部に放出されずに遮られる。
【０１０７】
ここで、有効領域９１０の全体面積に対する、当該有効領域９１０において前面基板に形成された第１電極と第２電極、ブラック層及びブラックマトリックスなどによって遮られない部分の面積の割合を開口率とする。
【０１０８】
本発明の一つの実施形態に係るプラズマディスプレイパネルでは、開口率を２５％以上４５％以下に設定している。このように設定する理由は、開口率が２５％未満で過度に小さな場合には、有効領域９１０で具現される映像の輝度が過度に弱くなる可能性があり、また、開口率を４５％以上に大きくすることは下記の通り不利であるからである。例えば、開口率を４５％以上に高めるために第１電極及び第２電極の幅または面積を減少させた場合、放電開始電圧が過度に高くなり、駆動効率が低下する可能性がある。
【０１０９】
次に、図１０は本発明の一つの実施形態に係るプラズマディスプレイパネルで映像の階調を具現するための映像フレーム（Ｆｒａｍｅ）を説明するための図である。
【０１１０】
図１０を注意深くみれば、本発明の一つの実施形態に係るプラズマディスプレイパネルで映像の階調(Gray Level)を具現するための映像フレームは、放電回数が異なる複数のサブフィールドに分けられることができる。
【０１１１】
同時に、複数のサブフィールドの内の一つ以上のサブフィールドを、放電セルを初期化させるためのリセット期間（Ｒｅｓｅｔ Ｐｅｒｉｏｄ）、放電される放電セルを選択するためのアドレス期間（Ａｄｄｒｅｓｓ Ｐｅｒｉｏｄ）及び放電回数によって階調を具現するサステイン期間（Ｓｕｓｔａｉｎ Ｐｅｒｉｏｄ）に分けられることができる。
【０１１２】
例えば、２５６階調で映像を表示しようとする場合、例えば一つの映像フレームを図１０のように８個のサブフィールド（ＳＦ１〜ＳＦ８）に分けることができ、８個のサブフィールド（ＳＦ１〜ＳＦ８）のそれぞれをリセット期間、アドレス期間及びサステイン期間にさらに分けることができる。
【０１１３】
一方、サステイン期間に供給されるサステイン信号の個数を調節して、該当サブフィールドの階調加重値を設定することができる。すなわち、サステイン期間を利用して、それぞれのサブフィールドに所定の階調加重値を付与することができる。例えば、第１サブフィールドの階調加重値を２０に設定して、第２サブフィールドの階調加重値を２１に設定する方法で、各サブフィールドの階調加重値が２ｎ（ただ、ｎ＝０、１、２、３、４、５、６、７）の割合で増加するように各サブフィールドの階調加重値を決めることができる。このように各サブフィールドにおいて、階調加重値によってサステイン期間に供給されるサステイン信号の個数を調節することで、多様な映像の階調を具現するようになる。
【０１１４】
本発明の一つの実施形態に係るプラズマディスプレイパネルは、映像を具現するために例えば１秒の映像を表示する際に複数の映像フレームを使う。例えば、１秒の映像を表示するために６０個の映像フレームを使用するのである。このような場合、一つの映像フレームの長さ（Ｔ）は１／６０秒、すなわち１６．６７ｍｓである。
【０１１５】
図１０においては、一つの映像フレームが８個のサブフィールドで構成される場合のみを図示して説明したが、これとは異なり、一つの映像フレームを構成するサブフィールドの個数を多様に変更することができる。例えば、第１サブフィールドから第１２サブフィールドまでの１２個のサブフィールドで一つの映像フレームを構成することもでき、１０個のサブフィールドで一つの映像フレームを構成することもできるのである。
【０１１６】
また、図１０においては、一つの映像フレームで階調加重値の大きさが増加する手順によってサブフィールドを配列したが、これとは異なり、一つの映像フレームにおいてサブフィールドを階調加重値の減少する手順によって配列することもでき、また階調加重値にかかわらずサブフィールドを配列することもできるのである。
【０１１７】
次に、図１１は映像フレームに含まれるサブフィールドにおける本発明の一つの実施形態に係るプラズマディスプレイパネルの動作の一例を説明するための図である。
【０１１８】
図１１を注意深くみれば、初期化のためのリセット期間におけるセットアップ（Ｓｅｔ−Ｕｐ）期間では、第１電極（Ｙ）で第１電圧（Ｖ１）から第２電圧（Ｖ２）まで急激に上昇した後、第２電圧（Ｖ２）から第３電圧（Ｖ３）まで電圧が漸進的に上昇する上昇ランプ（Ｒａｍｐ−Ｕｐ）信号が供給される。ここで、第１電圧（Ｖ１）はグランドレベル（ＧＮＤ）の電圧であり得る。
【０１１９】
このようなセットアップ期間では、上昇ランプ信号によって放電セル内には弱い暗放電（Ｄａｒｋ Ｄｉｓｃｈａｒｇｅ）、すなわちセットアップ放電が起きる。このセットアップ放電によって放電セル内に壁電荷（Ｗａｌｌ Ｃｈａｒｇｅ）が蓄積される。
【０１２０】
セットアップ期間以後のセットダウン（Ｓｅｔ−Ｄｏｗｎ）期間では、上昇ランプ信号以後にこのような上昇ランプ信号と反対極性の下降ランプ（Ｒａｍｐ−Ｄｏｗｎ）信号が第１電極（Ｙ）に供給される。
【０１２１】
ここで、下降ランプ信号は、上昇ランプ信号のピーク（Ｐｅａｋ）電圧、すなわち、第３電圧（Ｖ３）より低い第４電圧（Ｖ４）から第５電圧（Ｖ５）まで漸進的に立ち下がる。
【０１２２】
このような下降ランプ信号が供給されることによって、放電セル内で微弱な消去放電（Ｅｒａｓｅ Ｄｉｓｃｈａｒｇｅ）、すなわち、セットダウン放電が発生する。このセットダウン放電によって、放電セル内にはアドレス放電が安定に発生し得るほどの壁電荷が均一に残留される。
【０１２３】
以上で説明した上昇ランプ信号または下降ランプ信号の形態を多様に変更することができる。これに関して添付された図１２を注意深くみれば次のようである。
【０１２４】
図１２は上昇ランプ信号と下降ランプ信号に関する他の形態の一例を説明するための図である。
【０１２５】
図１２を注意深くみれば、まず、（ａ）のように下降ランプ信号は第４電圧（Ｖ４）よりさらに低い第７電圧（Ｖ７）から漸進的に立ち下がる。すなわち、下降ランプ信号が供給される時点での第１電極（Ｙ）の電圧を変更することができる。ここで、第７電圧（Ｖ７）は第１電圧（Ｖ１）と実質的に同一にすることができる。
【０１２６】
また、（ｂ）のように上昇ランプ信号は、傾きが互いに異なる第１上昇ランプ信号と第２上昇ランプ信号とを含むことができる。
【０１２７】
第１上昇ランプ信号は、第１電圧（Ｖ１）から第２電圧（Ｖ２）まで第１傾きで漸進的に上昇し、第２上昇ランプ信号は、第２電圧（Ｖ２）から第３電圧（Ｖ３）まで第２傾きで漸進的に上昇する。
【０１２８】
第２上昇ランプ信号の第２傾きは第１傾きよりさらに緩い傾きであってもよい。
【０１２９】
このように、第２傾きを第１傾きよりも緩い傾きになるようにすれば、セットアップ放電の発生以前では電圧が相対的に早く上昇し、セットアップ放電の発生中では電圧が相対的に遅く上昇する効果を獲得することができ、これにより、セットアップ放電によって発生する光の量を低減させることができる。
【０１３０】
これによって、コントラスト（Ｃｏｎｔｒａｓｔ）特性を改善することができる。
【０１３１】
前述の図１２の（ｂ）を参照した説明で言及しない第８電圧（Ｖ８）は、図１２の（ａ）に記載された第７電圧（Ｖ７）と実質的に同一にすることができる。
【０１３２】
以上で説明したリセット期間以前に、プリリセット期間（ｐｒｅ−ｒｅｓｅｔ ｐｅｒｉｏｄ）をさらに含むことができる。これに関して添付された図１３を注意深くみれば次のようである。
【０１３３】
図１３はプリリセット期間を説明するための図である。
【０１３４】
図１３を注意深くみれば、リセット期間以前にプリリセット期間を含むことができ、このようなプリリセット期間において、第１電極（Ｙ）に第６電圧（Ｖ６）まで漸進的に立ち下がるプリランプ（Ｐｒｅ−Ｒａｍｐ）信号を供給することができる。
【０１３５】
同時に、第１電極にプリランプ信号が供給される間に、プリランプ信号と反対極性のフプリサステイン（Ｐｒｅ−Ｓｕｓｔａｉｎ）信号を第２電極（Ｚ）に供給することができる。
【０１３６】
同時に、プリサステイン電圧（Ｖｐｚ）を実質的に一定するように、プリサステイン信号を維持することができる。ここで、プリサステイン電圧（Ｖｐｚ）は、以後のサステイン期間において供給されるサステイン信号の電圧、すなわちサステイン電圧（Ｖｓ）と略等しくてもよい。
【０１３７】
このように、プリリセット期間において第１電極（Ｙ）にプリランプ信号が供給されて、これと共に、第２電極（Ｚ）にプリサステイン信号が供給されることによって、第１電極（Ｙ）上に所定極性の壁電荷（Ｗａｌｌ Ｃｈａｒｇｅ）が蓄積し、第２電極（Ｚ）上には第１電極と反対極性の壁電荷が蓄積する。例えば、第１電極（Ｙ）上には、陽〈＋）の壁電荷（Ｗａｌｌ Ｃｈａｒｇｅ）が蓄積し、第２電極（Ｚ）上には負（−〉の壁電荷が蓄積してもよい。
【０１３８】
これによって、プリリセット期間以後のリセット期間において、十分な強さのセットアップ放電を発生させることができるようになり、結果として初期化を充分に安定的に遂行することができるようになる。
【０１３９】
同時に、リセット期間において第１電極（Ｙ）に供給される上昇ランプ信号（Ｒａｍｐ−Ｕｐ）の電圧がさらに小くなっても、十分な強さのセットアップ放電を発生させることができるようになる。
【０１４０】
駆動時間の確保を考慮した場合、映像フレームのサブフィールドの内の時間的に一番最初に配列されるサブフィールドにおけるリセット期間以前にプリリセット期間を含むことが可能であり、または、映像フレームのサブフィールドの内の２個または３個のサブフィールドにおいてリセット期間以前にプリリセット期間を含むことも可能である。
【０１４１】
また、このようなプリリセット期間をすべてのサブフィールドで省略することも可能である。
【０１４２】
ここで、再び図１１を参照すると、リセット期間以後のアドレス期間において、下降ランプ信号の最低電圧、即ち、第５電圧（Ｖ５）よりも高い電圧、例えば、第６電圧（Ｖ６）を実質的に維持するスキャンバイアス信号を第１電極（Ｙ）に供給する。
【０１４３】
同時に、スキャンバイアス信号からスキャン電圧（△Ｖｙ）程度立ち下がるスキャン信号を第１電極（Ｙ）に供給することができる。
【０１４４】
一方、サブフィールド単位でスキャン信号（Ｓｃａｎ）の幅を可変的にしてもよい。すなわち、少なくとも一つのサブフィールドにおいて、スキャン信号の幅を他のサブフィールドにおけるスキャン信号の幅と異なるようにすることができる。例えば、時間的に後に位置するサブフィールドにおけるスキャン信号の幅が、時間的に前に位置するサブフィールドにおけるスキャン信号の幅より小さくすることができる。また、サブフィールドの配列手順に係るスキャン信号の幅を２．６μｓ(マイクロ秒)、２．３μｓ(マイクロ秒)、２．１μｓ(マイクロ秒)、１．９μｓ(マイクロ秒)などのように、漸進的に減少させることができ、また、２．６μｓ(マイクロ秒)、２．３μｓ(マイクロ秒)、２．３μｓ(マイクロ秒)、２．１μｓ(マイクロ秒)・・・１．９μｓ(マイクロ秒)、１．９μｓ(マイクロ秒)などのように設定してもよい。
【０１４５】
このように、スキャン信号が第１電極（Ｙ）に供給される時、スキャン信号に対応するように、第３電極（Ｘ）にデータ電圧の大きさ（△Ｖｄ）程度上昇するデータ信号を供給することができる。
【０１４６】
このようなスキャン信号とデータ信号を供給することによって、スキャン信号とデータ信号の間の電圧差とリセット期間に生成された壁電荷に係る壁電圧が加わりながら、データ信号が供給される放電セル内でアドレス放電を発生させることができる。
【０１４７】
ここで、アドレス期間において第２電極（Ｚ）の干渉によってアドレス放電が不安定になることを防止するために、第２電極にサステインバイアス信号を供給することができる。
【０１４８】
ここで、サステインバイアス信号は、サステイン期間において供給されるサステイン信号の電圧よりは小さく、グランドレベル（ＧＮＤ）の電圧よりは大きいサステインバイアス電圧（Ｖｚ）を実質的に一定に維持することができる。
【０１４９】
以後、映像表示のためのサステイン期間においては、第１電極（Ｙ）及び第２電極（Ｚ）の内の少なくとも一つにサステイン信号を供給することができる。例えば、第１電極（Ｙ）と第２電極（Ｚ）に対して交互にサステイン信号を供給することができる。
【０１５０】
このようにサステイン信号が供給されれば、アドレス放電によって選択された放電セルは放電セル内の壁電圧とサステイン信号のサステイン電圧（Ｖｓ）が加わりながら、サステイン信号の供給時に第１電極（Ｙ）と第２電極（Ｚ）の間にサステイン放電、すなわち、表示放電が発生する。
【０１５１】
次に、図１４はサステイン信号のさらに他の形態を説明するための図である。
【０１５２】
図１４を注意深くみれば、第１電極（Ｙ）または第２電極(Ｚ)の内の何れか一つの電極、例えば、第１電極（Ｙ）に陽〈＋）のサステイン信号と負（−〉のサステイン信号を交互に供給する。
【０１５３】
このように、何れか一つの電極に陽のサステイン信号と負のサステイン信号を供給する間に、残り電極、例えば、この例では第２電極（Ｚ）にはバイアス信号が供給される。
【０１５４】
ここで、バイアス信号はグランドレベル（ＧＮＤ）の電圧を実質的に一定に維持することができる。
【０１５５】
図１４に示すように、第１電極（Ｙ）または第２電極（Ｚ）の内の何れか一つの電極にだけサステイン信号を供給する場合には、第１電極（Ｙ）または第２電極（Ｚ）の内の何れか一つの電極にサステイン信号を供給するための回路が配置される一つの駆動ボードだけを備えれば良い。
【０１５６】
これによって、プラズマディスプレイパネルを駆動させる駆動部の全体の大きさを減少させることができ、製造単価を低減させることができる。
【図面の簡単な説明】
【０１５７】
【図１Ａ】本発明の一つの実施形態に係るプラズマディスプレイパネルの構造の一例を説明するための図。
【図１Ｂ】本発明の一つの実施形態に係るプラズマディスプレイパネルの構造の一例を説明するための図。
【図１Ｃ】本発明の一つの実施形態に係るプラズマディスプレイパネルの構造の一例を説明するための図。
【図１Ｄ】本発明の一つの実施形態に係るプラズマディスプレイパネルの構造の一例を説明するための図。
【図２】第１電極及び第２電極の内の少なくとも一つが単一層で形成される理由を説明するための図。
【図３】第１電極及び第２電極と前面基板の間にブラック層をさらに追加した構造の一例を説明するための図。
【図４Ａ】本発明の一つの実施形態に係るプラズマディスプレイパネルの第１電極と第２電極の第１実施形態を説明するための図。
【図４Ｂ】本発明の一つの実施形態に係るプラズマディスプレイパネルの第１電極と第２電極の第１実施形態を説明するための図。
【図４Ｃ】本発明の一つの実施形態に係るプラズマディスプレイパネルの第１電極と第２電極の第１実施形態を説明するための図。
【図５Ａ】本発明の一つの実施形態に係るプラズマディスプレイパネルの第１電極と第２電極の第２実施形態を説明するための図。
【図５Ｂ】本発明の一つの実施形態に係るプラズマディスプレイパネルの第１電極と第２電極の第２実施形態を説明するための図。
【図５Ｃ】本発明の一つの実施形態に係るプラズマディスプレイパネルの第１電極と第２電極の第２実施形態を説明するための図。
【図６Ａ】本発明の一つの実施形態に係るプラズマディスプレイパネルの第１電極と第２電極の第３実施形態を説明するための図。
【図６Ｂ】本発明の一つの実施形態に係るプラズマディスプレイパネルの第１電極と第２電極の第３実施形態を説明するための図。
【図７Ａ】本発明の一つの実施形態に係るプラズマディスプレイパネルの第１電極と第２電極の第４実施形態を説明するための図。
【図７Ｂ】本発明の一つの実施形態に係るプラズマディスプレイパネルの第１電極と第２電極の第４実施形態を説明するための図。
【図８Ａ】本発明の一つの実施形態に係るプラズマディスプレイパネルの第１電極と第２電極の第５実施形態を説明するための図。
【図８Ｂ】本発明の一つの実施形態に係るプラズマディスプレイパネルの第１電極と第２電極の第５実施形態を説明するための図。
【図９】ダミー領域と有効領域を説明するための図。
【図１０】本発明の一つの実施形態に係るプラズマディスプレイパネルで映像の階調を具現するための映像フレーム（Ｆｒａｍｅ）を説明するための図。
【図１１】映像フレームに含まれるサブフィールドでの本発明の一つの実施形態に係るプラズマディスプレイパネルの動作の一例を説明するための図。
【図１２】上昇ランプ信号と下降ランプ信号に関する他の形態の一例を説明するための図。
【図１３】フリーリセット期間を説明するための図。
【図１４】サステイン信号に関する他のタイプを説明するための図。
【図１Ａ】
2008047507.tif 000003
【図１Ｂ】
2008047507.tif 000004
【図１Ｃ】
2008047507.tif 000005
【図１Ｄ】
2008047507.tif 000006
【図２】
2008047507.tif 000007
【図３】
2008047507.tif 000008
【図４Ａ】
2008047507.tif 000009
【図４Ｂ】
2008047507.tif 000010
【図４Ｃ】
2008047507.tif 000011
【図５Ａ】
2008047507.tif 000012
【図５Ｂ】
2008047507.tif 000013
【図５Ｃ】
2008047507.tif 000014
【図６Ａ】
2008047507.tif 000015
【図６Ｂ】
2008047507.tif 000016
【図７Ａ】
2008047507.tif 000017
【図７Ｂ】
2008047507.tif 000018
【図８Ａ】
2008047507.tif 000019
【図８Ｂ】
2008047507.tif 000020
【図９】
2008047507.tif 000021
【図１０】
2008047507.tif 000022
【図１１】
2008047507.tif 000023
【図１２】
2008047507.tif 000024
【図１３】
2008047507.tif 000025
【図１４】
2008047507.tif 000026